(57)【要約】【課題】化粧表面が美しい化粧合板、及び化粧合板を製板するために好適な木質ボードを提供する。【解決手段】厚みの薄い板材からなる薄単板、および薄単板より厚みの厚い厚単板の少なくとも２種類の板厚の異なる単板を、薄単板を表面にして積層し、木質系板材とする工程と、薄単板の表面に、繊維と樹脂の混合からなる低密度の繊維マットを積層する工程と、木質系板材と繊維マットとを圧着接合して、木質系板材の表面に、繊維マットが圧縮されて高密度化するとともに木質系板材の表面の凹みを埋め固めた繊維層を形成する工程とを備える木質ボードの製造方法。繊維マットの樹脂を、粉末熱硬化性樹脂、熱硬化性樹脂繊維、および熱可塑性樹脂繊維の少なくも一つとし、繊維層の厚さを、薄単板の板厚以上薄単板の板厚の１５０％以下とし、厚単板の板厚を薄単板の板厚及び繊維層の厚さより厚くする。【選択図】図４
2019031104.tif 000002
【特許請求の範囲】
【請求項１】
厚みの薄い板材からなる薄単板、および前記薄単板より厚みの厚い厚単板の少なくとも２種類の板厚の異なる単板を、前記薄単板を表面にして積層し、木質系板材とする工程と、
前記薄単板の表面に、繊維と樹脂の混合からなる低密度の繊維マットを積層する工程と、
前記木質系板材と前記繊維マットとを圧着接合して、前記木質系板材の表面に、前記繊維マットが圧縮されて高密度化するとともに前記木質系板材の表面の凹みを埋め固めた繊維層を形成する工程とを備え、
前記薄単板の表面に前記繊維マットを積層する工程において、前記繊維マットの前記樹脂を、粉末熱硬化性樹脂、熱硬化性樹脂繊維、および熱可塑性樹脂繊維の少なくも一つとし、
前記繊維層の厚さを、前記薄単板の板厚以上前記薄単板の板厚の１５０％以下とし、
前記厚単板の板厚を、前記薄単板の板厚及び前記繊維層の厚さより厚くする
木質ボードの製造方法。
【請求項２】
前記薄単板の表面に前記繊維マットを積層する工程において、前記繊維マットの圧縮前の厚さを、前記薄単板の板厚の２００％以上１５００％以下とする
請求項１に記載の木質ボードの製造方法。
【請求項３】
前記薄単板の表面に前記繊維マットを積層する工程において、前記繊維マットの密度を０．０５〜０．３７５グラム／立方ｃｍとし、
前記木質系板材の表面に前記繊維層を形成する工程において、前記繊維層の密度を０．５グラム／立方ｃｍ以上１．５グラム／立方ｃｍ以下とする
請求項１又は２に記載の木質ボードの製造方法。
【請求項４】
前記木質系板材の表面に前記繊維層を形成する工程の後に、前記繊維層の表面に木質繊維板を積層し、圧着接合する工程を備える
請求項１〜３のいずれか１項に記載の木質ボードの製造方法。
【請求項５】
請求項１〜４のいずれか１項に記載の木質ボードの製造方法を用いた化粧合板の製造方法であり、
前記木質系板材の表面に前記繊維層を形成する工程の後に、前記木質ボードの表面に、木質単板、繊維化粧板、樹脂板、金属板等の化粧板、あるいは樹脂シート、樹脂フイルム、コート紙等の化粧シートを積層し、圧着接合する工程を備える化粧合板の製造方法。
【発明の詳細な説明】
【技術分野】
【０００１】
本発明は、木質ボード及び化粧合板に関する。
【背景技術】
【０００２】
従来、建築資材として、広葉樹合板や針葉樹合板や集成材や配向性ストランドボード（ＯＳＢ）などの木質系板材が広く利用されている（例えば、特許文献１参照。）。これらの木質系板材の表面あるいは表裏面に、硬質繊維板（ＨＢ）や中質繊維板（ＭＤＦ）等を熱圧接着した上で化粧加工を施したフローリング床材等の化粧合板もある。化粧加工としては、突き板（木質単板）や樹脂板や金属板等の化粧板を熱圧接着する加工や、樹脂シートや樹脂フイルム等の化粧シートを圧着する加工等がある。
【０００３】
化粧加工を施す木質系板材の表面が平滑であれば化粧表面が美しい化粧合板を比較的容易に製造できる。しかし、上記のような木質系板材では、表裏面の凸凹が不可避である。合板では、プレスマークや、割れ・節など単板の欠陥や、単板の重なりや、コアトンネルや、年輪毎の厚みの違い等のため、表裏面に凸凹が生じていることがある。特に、節の多い針葉樹単板を利用した針葉樹合板では、節穴等による凹みが不可避である。集成材では、接着するラミナの厚さの違い等に起因して表裏面に凸凹が生じやすい。細長いストランドが接着された配向性ストランドボードでは、その製法上、表裏面に凸凹が生じやすくなっている。
【０００４】
木質系板材の表裏面に凸凹があると、製造される化粧合板の表面に欠陥が生じるおそれがある。木質系板材の凸凹の表面に上記のような化粧加工を施した場合、施工面の凸凹に起因して化粧表面に凹みが生じたり、圧着する際の荷重のばらつき等に起因して化粧表面にくすみが生じる等、表面欠陥が生じるおそれがある。加工直後の化粧表面に凹みやくすみ等が現れていなくても、木質系板材の凹みに起因した空隙が内部に残っていることがある。内部に空隙が残っていると、長期間に渡る使用期間において空隙内の空気が膨張と収縮とを繰り返して層間剥離が生じるおそれがある。床材等への適用では、机や椅子などの家具の脚や、女性のハイヒールの踵等に踏まれて局所的な大荷重が作用することがあり、このような大荷重が空隙に作用すると化粧表面に凹みや割れ、破れ等を生じるおそれがある。
【先行技術文献】
【特許文献】
【０００５】
【特許文献１】特開平８−５２７０３号公報
【発明の概要】
【発明が解決しようとする課題】
【０００６】
本発明は、前記従来の問題点に鑑みてなされたものであり、化粧表面が美しい優れた品質の化粧合板、あるいは優れた品質の化粧合板を製板等するために好適な木質ボードを提供するための発明である。
【課題を解決するための手段】
【０００７】
本発明の一態様は、合板、配向性ストランドボード、集成材などの木質系板材の表面あるいは表裏面に低密度の繊維マットが圧着接合され、この繊維マットが圧縮されて高密度化した繊維層が前記木質系板材の表面あるいは表裏面に積層された木質ボードにある（発明１）。
【０００８】
本発明の一態様は、合板、配向性ストランドボード、集成材などの木質系板材の表面あるいは表裏面に低密度の繊維マット及び木質繊維板が圧着接合され、この繊維マットが圧縮されて高密度化した繊維層が前記木質系板材と前記木質繊維板との間に積層された木質ボードにある（発明２）。
【０００９】
本発明の一態様は、表面あるいは表裏面に化粧板あるいは化粧シートが積層された化粧合板であって、本発明の他の態様をなす木質ボードの表面あるいは表裏面のうちの前記繊維層が積層された側の面に、木質単板、繊維化粧板、樹脂板、金属板等の化粧板、あるいは樹脂シート、樹脂フイルム、コート紙等の化粧シートが積層された化粧合板にある（発明７）。
【００１０】
本発明の木質ボード及び化粧合板では、合板、配向性ストランドボード、集成材などの木質系板材の表面あるいは表裏面に、低密度の前記繊維マットが圧縮された高密度の前記繊維層が積層されている。
【００１１】
低密度の前記繊維マットを前記木質系板材に対して押し付けたとき、その表面等の凸凹に応じて前記繊維マットが変形する。前記木質系板材の表面等の凹みのある部分では、周辺よりも前記繊維マットの潰れ度合いが小さくなる代わりに凹みの中に繊維が充填される。このように前記繊維マットが変形すれば、前記木質系板材の表面等に生じた凹みを前記繊維マットの繊維によって埋めて凸凹を吸収できる。前記繊維マットが圧縮された前記繊維層によって前記木質系板材の表面等の凸凹が吸収された前記木質ボードでは、前記木質系板材と前記繊維層との間に空隙が残るおそれが非常に少ない。
【００１２】
内部に空隙がない木質ボードであれば、例えば、化粧板や化粧シートを圧着する際の荷重のばらつきを抑制でき、化粧表面にくすみや凹み等が発生するおそれが少ない。内部に空隙がなければ、空隙内の空気の膨張や収縮によって眉間剥離を生じるおそれも少ない。床材等へ適用された場合であっても、家具の脚やヒールの踵等によって化粧表面に凹みが生じたり破れや割れ等を生じたりするおそれも少ない。
【００１３】
このように、本発明の木質ボードは、低密度の前記繊維マットを圧着することで前記木質系板材の凸凹が吸収され、内部に空隙が少ないという優れた特性を有している。この木質ボードを利用して製板された化粧合板は、化粧表面が美しく、その実しい化粧表面を長期間の使用に渡って維持できる優れた製品となる。
【００１４】
本発明の木質ボードあるいは化粧合板を構成する合板としては、前記繊維マットを圧着接合する前に予め完成された合板であっても良いが、前記繊維マットを圧着接合するときの加圧力を利用し、この圧着接合と同時に複数の単板が圧着接合された合板であっても良い。
【００１５】
本発明の木質ボードを構成する木質繊維板としては、硬質繊維板（ＨＢ）や中質繊維板（ＭＤＦ）等の木質繊維板を利用できる。表面あるいは表裏面が前記木質繊維板により形成された木質ボードであれば、冷間プレス（コールドプレス）により化粧板や化粧シートを比較的容易に接着できる。冷間プレスであれば、熱間プレス（ホットプレス）に比べて、比較的小規模なプレス装置を用いて化粧加工を実施できる。
【００１６】
本発明の好適な一態様における木質系板材は、複数の針葉樹単板が積層された針葉樹合板である（発明３）。一般に、節や割れが多く存在している針葉樹単板が積層された針葉樹合板では、表面等の凹みが多くなる傾向にある。それ故、表面等の凸凹を前記繊維層により吸収できるという本発明の作用効果が一層有用になる。
【００１７】
本発明の好適な一態様における繊維マットの圧縮前の厚さは、前記針葉樹合板の表面あるいは表裏面をなす針葉樹単板の板厚の２００％以上１５００％以下である（発明４）。前記針葉樹単板の板厚に対する前記繊維マットの厚さの割合が２００％未満であると、この針葉樹単板の節穴等に起因する前記針葉樹合板の表面欠陥を十分に吸収できないおそれがある。一方、この割合が１５００％を超えると生産性が悪い。
【００１８】
本発明の好適な一態様における繊維層の厚さは、前記針葉樹合板の表面あるいは表裏面をなす針葉樹単板の板厚の５０％以上１５０％以下である（発明５）。前記針葉樹合板の表面あるいは表裏面をなす前記針葉樹単板の板厚に対して、前記繊維層の層厚の割合が５０％未満であると、この針葉樹単板の節穴等に起因する前記針葉樹合板の表面欠陥を十分に吸収できないおそれがある。一方、この割合が１５０％を超えていると生産性が悪い。
【００１９】
本発明の好適な一態様においては、前記繊維層の密度が０．５グラム／立方ｃｍ以上１．５グラム／立方ｃｍ以下である。前記繊維層の密度が０．５グラム／立方ｃｍ未満であると、針葉樹単板の節穴等に起因する前記針葉樹合板の表面欠陥を十分に吸収できないおそれがある。一方、前記繊維層の密度が１．５グラム／立方ｃｍを超えると生産性が悪い。
【００２０】
本発明の好適な一態様における繊維マットは、熱可塑性樹脂あるいは熱硬化性樹脂を保持する繊維マットであり、この繊維マットが、前記木質系板材の表面あるいは表裏面に熱圧接着されている（発明６）。この場合には、熱可塑性樹脂あるいは熱硬化性樹脂によって前記繊維層を固めることができ、前記複合台板の強度を向上できる。
【発明の効果】
【００２１】
本発明によれば、化粧表面が美しい優れた品質の化粧合板、あるいは優れた品質の化粧合板を製板等するために好適な木質ボードを提供することができる。
【図面の簡単な説明】
【００２２】
【図１】実施例１における、針葉樹単板が積層された針葉樹合板（木質系板材）を示す説明図。
【図２】実施例１における、繊維マットを示す斜視図。
【図３】実施例１における、複合台板（木質ボード）の製造工程の説明図。
【図４】実施例１における、複合台板の繊維層の断面構造を示す断面図。
【図５】実施例１における、化粧合板の製板工程の説明図。
【図６】実施例２における、複合台板の製版工程の説明図。
【図７】実施例２における、化粧合板の製板工程の説明図。
【発明を実施するための形態】
【００２３】
本発明の実施の形態につき、以下の実施例を用いて具体的に説明する。
【００２４】
（実施例１）
本例は、針葉樹合板（木質系板材）１１の表面に繊維マット１２が熱圧接着された複合台板（木質ボード）１０、及びこの複合台板１０の表面に木質繊維板であるＭＤＦ（中質繊維板）１３１及び突き抜（化粧板）１３２が積層された化粧合板１００に関する例である。この内容について、図１〜図５を参照して説明する。
【００２５】
（針葉樹合板）
本例の針葉樹合板１１は、図１のごとく、針葉樹単板１１１が５層積層された板厚１２ｍｍの５プライの合板である。針葉樹単板１１１としては、杉、桧、松等を薄くスライスした単板が利用される。この針葉樹合板１１では、同図中、上段から、第１層のフェース、第２層のクロスバンド、第３層のコア、第４層のクロスバンド、第５層のバックをなす各針葉樹単板１１１が積層されている。本例の針葉樹合板１１では、第１層、第３層、第５層の板厚が２ｍｍ、第２層及び第４層の板厚が３ｍｍとなっている。なお、針葉樹単板１１１の積層数（プライ数）については、本例の５層（５プライ）には限定されない。
【００２６】
一般的に、ラワン材等の広葉樹に比べて節等が多い針葉樹では、単板として加工した際、節穴などに起因する孔や欠け等が不可避である。本例の針葉樹合板１１についても、フェースやバックをなす針葉樹単板１１１の節穴や欠け等に起因する凹み１１９等の表面欠陥が生じている。
【００２７】
（繊維マット）
繊維マット１２は、図２のごとく、植物性長繊維に対してバインダーとなる粉末熱硬化性樹脂を混合した後、マット形状に成形したものである。本例の繊維マット１２は、厚さ（ｔｍ）が２０ｍｍ、密度（嵩密度）が０．１グラム／立方ｃｍである。
【００２８】
なお、繊維マット１２の厚さ（ｔｍ）は、４ｍｍ〜３０ｍｍが好ましく、密度（嵩密度）は０．０５〜０．３７５グラム／立方ｃｍが好ましい。繊維マット１２の厚さが上記の範囲よりも薄いと、繊維マット１２を熱圧接着する際、針葉樹合板１１の表面の凹み１１９（図１）等の凸凹を十分に吸収できなかったり、凹み１１９の箇所で圧縮後の繊維層１２０（図４を参照して後述する。）の密度が十分にならないおそれがある。繊維マット１２の厚さが上記の範囲よりも厚いと、生産性が悪い。
【００２９】
植物性長繊維としては、例えば、植物の靭皮から採取される靭皮繊維（例えば、ケナフ、亜麻、ラミー、大麻、ジュート等の麻類植物の靭皮から採取される繊維）や、マニラ麻、サイザル麻等の麻類植物の茎又は端の筋から採取される繊維、油ヤシやココヤシ等のヤシ科植物から採取される繊維、パルプなどの木材繊維が利用される。なお、環境資源への配慮から、枯渇化するおそれがある木材資源ではなく、非木材資源である麻類植物やヤシ科植物から得られる麻類植物繊維やヤシ科植物繊維を利用することも良い。植物性長繊維の繊維長は、５ｍｍ〜５０ｍｍ程度のものが良い。また、平均繊維径は、０．０５ｍｍ〜１ｍｍのものが良い。
【００３０】
本例では、粉末熱硬化性樹脂として、フェノール樹脂粉末を利用している。これに代えて、ユリア樹脂、メラミン樹脂、ユリア・メラミン共縮合樹脂、エポキシ樹脂、ウレタン樹脂などよりなる粉末熱硬化性樹脂を採用しても良い。植物性長繊維に対する粉末熱硬化性樹脂の配合割合（粉末熱硬化性樹脂が混合された繊維マット１２の全重量に占める粉末熱硬化性樹脂の割合）は、５重量％〜１５重量％程度が良い。
【００３１】
（複合台板）
本例の複合台板１０は、図３のごとく、上記の繊維マット１２が針葉樹合板１１の表面に熱圧接着された木質ボードである。厚さｔｍ＝２０ｍｍの繊維マット１２は、熱間プレスにより厚さｔｓ＝２ｍｍの繊維層１２０として熱圧成形されている。熱圧成形後の繊維層１２０の密度（嵩密度）は、１グラム／立方ｃｍとなっている。
【００３２】
なお、本例の複合台板１０を製板する際のプレス条件は、以下の通りである。ここで熱板温度とは、ホットプレスの熱板温度である。・熱板温度：１８０度〜２１０度・圧力：５〜１０ｋｇ／平方ｃｍ・時間：３〜１０分。
【００３３】
本例では、針葉樹合板１１のフェースをなす針葉樹単板１１１の板厚（ｔｆ）２ｍｍに対して、厚さ（ｔｍ）２０ｍｍの繊維マット１２を適用し、熱圧接着により厚さ（ｔｓ）２ｍｍの繊維層１２０を形成している。本例の複合台板１０では、熱圧接着された繊維マット１２の植物性長繊維が針葉樹合板１１の凹み１１９に充填され、図４のごとく、針葉樹合板１１の表面の凸凹を吸収するように繊維層１２０が圧縮成形されている。この複合台板１０では、針葉樹合板１１と繊維層１２０との間に空隙が残るおそれが非常に少なくなっている。さらに、本例の繊維マット１２には粉末熱硬化性樹脂が混合されている。繊維マット１２を熱圧接着する際、この粉末熱硬化性樹脂が熱硬化し、繊維層１２０が上記の圧縮成形状態で固められている。
【００３４】
（化粧合板）
本例の化粧合板１００は、図５のごとく、上記のように製板された複合台板１０の表面に、ＭＤＦ１３１及び化粧用の突き板（木質単板）１３２が積層された台板である。この化粧合板１００は、接着剤となるフェノール樹脂を介してＭＤＦ１３１と突き板１３２とを複合台板１０に積層した後、熱間プレスにより熱圧接着されて製板される。
【００３５】
化粧合板１００を製板する際のプレス条件は、以下の通りである。・熱板温度：１８０度〜２１０度・圧力：５〜１０ｋｇ／平方ｃｍ・時間：３〜１０分。
【００３６】
一般に、突き板を熱圧接着する複合台板の内部に空隙があると、その空隙によって加熱ムラが生じて化粧表面にくすみが生じたり、その空隙の箇所で化粧表面に凹みが生じるおそれがある。一方、本例の複合台板１０では、上記のごとく、針葉樹合板１１に繊維マット１２を熱圧接着する過程で、針葉樹合板１１の表面の凸凹が繊維層１２０によって吸収され空隙の発生が抑制されている（図４）。さらに、厚い繊維マット１２が熱圧成形されたこの繊維層１２０は、針葉樹合板１１の表面の凹み１１９に当たる箇所か否かによらず均一性高く圧縮成形され、密度のムラが抑制されている。このような複合台板１０であれば、化粧加工の施工が容易になり、突き板１３２等を均一性高く圧着可能である。突き板１３２等が均一性高く圧着された化粧合板１００では、化粧表面の凹みやくすみが非常に少ない優れた品質が実現される。
【００３７】
以上のように、本例の複合台板１０及び化粧合板１００は針葉樹合板１１を基材としながら、針葉樹単板１１１の節穴等の表面欠陥の影響が抑制された優れた特性の製品である。針葉樹合板１１の表面等の凹み１１９が植物性長繊維によって埋め固められた本例の複合台板１０であれば、突き破１３２を圧着するときの荷重のばらつきを抑制でき、化粧表面のくすみや凹みを確実性高く抑制できる。また、上記のような針葉樹合板１１の凹み１１９が繊維層１２０により埋め固められ内部に空隙が残っていない化粧合板１００であれば、フロア材として使用されたときでも、女性のピンヒールや椅子や机等の脚によって化粧表面に凹みや破れが生じるおそれが極めて少ない。
【００３８】
なお、本例の複合台板１０については、中間製品としての出荷が考えられる。この複合台板１０を仕入れした加工業者は、化粧板等を熱圧接着する化粧加工によって最終製品としての化粧合板１００を製板する。また、複合台板１０については、畳床等への適用も考えられる。この場合には、化粧合板１００として加工されることなく、複合台板１０が建築板としての最終製品となる。
【００３９】
本例は、針葉樹合板１１の表面に繊維マット１２が熱圧接着された複合台板１０、この複合台板１０の表面にＭＤＦ１３１及び突き板１３２が熱圧接着された化粧合板１００に関する例である。本例に代えて、針葉樹合板１１の裏面にも繊維マット１２等を熱圧接着し、表裏面の仕様を同様にしても良い。本例のＭＤＦ１３１に代えて、硬質繊維板（ＨＢ）やパーチクルボード（ＰＢ）を適用することも良い。
【００４０】
本例は、５プライの針葉樹合板１１を基材とした複合台板１０の例である。合板のプライ数は本例の５プライには限定されない。さらに、本例に代えて、広葉樹合板や、集成材、配向性ストランドボード、ＭＤＦ、パーチクルボード等、いわゆるエンジニアリングウッドと呼ばれる木質系板材を基材としても良い。
【００４１】
化粧加工に用いる化粧板としては、本例の突き板１３２に代えて、繊維化粧板や、ポリエステルやメラミンあるいはフェノール等の樹脂板や、アルミやステンレス等の金属板を適用することも良い。化粧板に代えて、シート状を呈する化粧シートを適用することも良い。化粧シートとしては塩化ビニールの樹脂シートや、フェノールやポリオレフィン等の樹脂系フイルムや、コート紙や、アフターコート紙等を利用可能である。
【００４２】
本例では、粉末熱硬化性樹脂を混入させた繊維マット１２を利用している。粉末熱硬化性樹脂に代えて、熱硬化性樹脂繊維を植物性長繊維に混ぜ合わせても良く、液状の熱硬化性樹脂を繊維マット１２に含浸させておくことも良い。本例では、予め製板された針葉樹合板１１に対して繊維マット１２を熱圧接着して複合台板１０を製板している。これに代えて、５枚の針葉樹単板１１１及び繊維マット１２を同時に熱圧接着して本例の複合台板１０を製板することも良い。また、繊維マット１２の熱硬化性樹脂繊維に替えて熱可塑性樹脂繊維を使用すると、繊維マットと針葉樹合板とを冷圧接着することが可能となる。
【００４３】
本例では、繊維マット１２と針葉樹合板１１との界面に接着剤を適用せずに複合台板１０を製板している。これに代えて、この界面に、フェノール樹脂、酢酸ビニル樹脂、ユリア樹脂、メラミン樹脂、ビニールウレタン樹脂等の接着剤を適用することも良い。複合台板１０とＭＤＦ１３１との界面、ＭＤＦ１３１と突き板１３２との界面に接着剤を適用しても良い。
【００４４】
なお、繊維マットとしては、本例の植物性長繊維よりなる繊維マット１２に代えて、以下の代替マットを適用することも良い。
【００４５】
（代替マットその１）
木繊維を主体とし、粉末熱硬化性樹脂が浪合された繊維マット。繊維が短い木繊維の場合、ニードルパンチ等による成形が難しい場合がある。そこで、本例と同様のマット形状に成形するに当たっては、熱可塑性樹脂繊維を混ぜ合わせた後、適宜加熱して成形することも良い。
【００４６】
（代替マットその２）
本例の繊維マット１２の主体である植物性長繊維に代えて、ナイロン等の化繊を利用し、粉末熱硬化性樹脂が混合された繊維マット。この繊維マットに熱可塑性樹脂繊維を混ぜ合わせておくことも良い。
【００４７】
（代替マットその３）
廃棄された衣類等を細かくほぐした繊維にバインダーとして機能する粉末フェノール樹脂等を混ぜ合わせた後、フェルト状に成形した繊維マット。この繊維マットは、いわゆるレジンフェルトあるいは熱硬化フェルトと呼ばれる。この繊維マットに熱可塑性樹脂繊維を混ぜ合わせておくことも良い。
【００４８】
（代替マットその４）
廃棄された衣類の中からナイロンや、ポリエステル、ポリエチレンや、ポリプロピレン等の熱可塑性樹脂繊維を選択的に抽出してフェルト状に成形した繊維マット（いわゆる熱可塑フェルト）。熱可塑性樹脂繊維よりなる繊維マットの場合であれば、熱圧接着する際の熱板温度を１５０〜１８０度に設定するのが良い。熱可塑フェルトを構成する熱可塑性樹脂繊維としては、一種類の熱可塑性樹脂であっても良いが、二種類以上を組み合わせても良い。例えば、融点が異なるポリエステルとナイロンとを混合すると共に、熱圧接着する際の熱板温度を各融点に対して中間的に設定すれば、熱可塑性樹脂繊維を使用しながら熱硬化性樹脂を使用して繊維層を形成することが可能となる。さらに、熱可塑フェルトに粉末熱硬化性樹脂や熱硬化性樹脂繊維を混入させたり、液状の熱硬化性樹脂を含浸させておくことも良い。
【００４９】
（実施例２）
本例は、実施例１の複合台板を基にして、表面にＭＤＦ１３１が熱圧接着された複合台板１０、及びこの複合台板１０の表面に突き板１３２が接合された化粧合板１００に関する例である。図６及び図７のごとく、本例の複合台板１０は、実施例１と同じ仕様の針葉樹合板１１、繊維マット１２、及びＭＤＦ１３１を、熱間プレスにより同時に熱圧接着して製板された木質ボードである。そして、本例の化粧合板１００は、この複合台板１０の表面に突き板１３２が冷間プレスにより圧着接合された化粧合板である。
【００５０】
実施例１の複合台板１０の納入を受けて熱間プレスにより化粧合板１００を製板できる業者は、装置構成が大規模な熱間プレス装置が導入された大手の加工業者に限られてくる。一方、本例の複合台板１０の納入を受ければ、比較的簡単な装置構成の冷間プレス装置を利用して化粧合板１００を製板できる。本例の複合台板１０を利用すれば、小規模な加工業者であっても高品質な化粧合板１００の製板が可能になる。なお、実施例１と同様、本例の複合台板１０を最終製品として利用することも可能である。
【００５１】
本例では、化粧加工として突き板１３２を接合する加工を採用している。これに代えて、複合台板１０の表面をなすＭＤＦ１３１の表面に、塗装による化粧加工を施しても良い。本例では、針葉樹合板１１と繊維マット１２との界面、及び繊維マット１２とＭＤＦ１３１との界面に接着剤を適用せずに複合台板１０を製板している。これに代えて、この界面に、フェノール樹脂、酢酸ビニル樹脂、ユリア樹脂、メラミン樹脂、ビニールウレタン樹脂等の接着剤を適用することも良い。なお、その他の構成及び作用効果については、実施例１と同様である。
【００５２】
以上、実施例１及び２のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００５３】
１０  複合台板（木質ボード）
１００  化粧合板
１１  針葉樹合板（木質系板材）
１１１  針葉樹単板
１１９  凹み
１２  繊維マット
１２０  繊維層
１３１  ＭＤＦ（中質繊維板）
１３２  突き板（化粧板）
【図１】
2019031104.tif 000003
【図２】
2019031104.tif 000004
【図３】
2019031104.tif 000005
【図４】
2019031104.tif 000006
【図５】
2019031104.tif 000007
【図６】
2019031104.tif 000008
【図７】
2019031104.tif 000009